(57)【要約】【課題】操作性を低下させることなく、開錠操作の際に暗証番号などの入力情報が盗み見されることを確実に防止して防犯性を高めることができる施錠装置を提供する。【解決手段】施錠装置１０は、表示窓１４Ａ〜１４Ｄを有するカバー１４と、少なくとも一部がカバー１４の第１の面よりも手前側に突出して配置されたプッシュボタン１６Ａ〜１６Ｄと、プッシュボタン１６Ａ〜１６Ｄに加えられた操作に連動して回転駆動されるとともに、視覚によって識別可能な情報が施された表示部を有する回転体と、を備える。また、回転体の表示部は、カバー１４の第１の面よりも表示窓１４Ａ〜１４Ｄの開口部の幅寸法以上に奥側であって、表示窓１４Ａ〜１４Ｄを通して視認可能な位置に配設されている。【選択図】図１
2011144549.tif 000002
【特許請求の範囲】
【請求項１】
表示窓を有するカバーと、
少なくとも一部が前記カバーの第１の面よりも手前側に突出して配置されたプッシュボタンと、
前記プッシュボタンに加えられた操作に連動して回転駆動されるとともに、視覚によって識別可能な情報が施された表示部を有する回転体と、を備え、
前記回転体の表示部は、
前記カバーの第１の面から少なくとも前記表示窓開口部の幅寸法以上に奥側であって、前記表示窓を通して視認可能な位置に配設されていることを特徴とする、
施錠装置。
【請求項２】
前記カバーの表示窓は、前記第１の面の手前側から奥側にかけて開口面積が徐々に小さくなるような形状を有していることを特徴とする、
請求項１に記載の施錠装置。
【請求項３】
前記プッシュボタンは、左右に離間して複数設けられており、
前記表示窓は、隣接する２つの前記プッシュボタンの間に配設されていることを特徴とする、
請求項１または２に記載の施錠装置。
【請求項４】
前記カバーの表示窓の短手方向の幅は、前記第１の面の手前側から奥側にかけて同じ幅であることを特徴とする、
請求項１〜３のいずれかに記載の施錠装置。
【発明の詳細な説明】
【技術分野】
【０００１】
本発明は、複数の操作ボタンを用いて錠前の施錠または開錠を行う施錠装置に関する。
【背景技術】
【０００２】
従来、複数の操作ボタンと、錠前の施開錠機構とを備え、操作ボタンの操作に基づいて施開錠機構を作動させ、錠前の施開錠を可能とした施錠装置が広く知られている。例えば、特許文献１には、外周面に０から９までの数字が表示された円盤と、各々の円盤を１つの数字分だけ間欠回転させるためのプッシュボタン（操作ボタン）と、円盤によって施開錠状態の切り替えが行なわれるスライダーおよび閂杵（施開錠機構）と、を備えた施錠装置が提案されている。
【先行技術文献】
【特許文献】
【０００３】
【特許文献１】特許３４２８２９３号公報
【発明の概要】
【発明が解決しようとする課題】
【０００４】
しかしながら、上記特許文献１に記載された施錠装置では、円盤に表示された数字の一部が扉の前面に露出するように構成されているため、施錠装置の開錠操作を行なう際に、施錠装置の暗証番号が他人に盗み見されてしまうおそれがあった。
【０００５】
本発明は、このような問題点を解決するためになされたものであって、操作性を低下させることなく、開錠操作の際に暗証番号などの入力情報が盗み見されることを確実に防止して防犯性を高めることができる施錠装置を提供することを目的とする。
【課題を解決するための手段】
【０００６】
（１）本発明は、表示窓を有するカバーと、少なくとも一部が前記カバーの第１の面よりも手前側に突出して配置されたプッシュボタンと、前記プッシュボタンに加えられた操作に連動して回転駆動されるとともに、視覚によって識別可能な情報が施された表示部を有する回転体と、を備え、前記回転体の表示部は、前記カバーの第１の面から少なくとも前記表示窓開口部の幅寸法以上に奥側であって、前記表示窓を通して視認可能な位置に配設されていることを特徴とする、施錠装置である。
【０００７】
（２）また、前記カバーの表示窓は、前記第１の面の手前側から奥側にかけて開口面積が徐々に小さくなるような形状を有していることを特徴とする、前記（１）に記載の施錠装置である。
【０００８】
（３）また、前記プッシュボタンが左右に離間して複数設けられており、前記表示窓は、隣接する２つの前記プッシュボタンの間に配設されていることを特徴とする、前記（１）または（２）に記載の施錠装置である。
【０００９】
（４）また、前記カバーの表示窓の短手方向の幅は、前記第１の面の手前側から奥側にかけて同じ幅であることを特徴とする、前記（１）〜（３）のいずれかに記載の施錠装置である。
【発明の効果】
【００１０】
本発明に係る施錠装置によれば、操作性を低下させることなく、開錠操作の際に暗証番号などの入力情報が盗み見されることを確実に防止して防犯性を高めることができる。
【図面の簡単な説明】
【００１１】
【図１】本実施形態に係る施錠装置の正面図である。
【図２】同施錠装置の平面図である。
【図３】図１におけるＡ−Ａ線に沿う断面図である。
【図４】（ａ）図１におけるＢ−Ｂ線に沿う断面図である。（ｂ）（ａ）の断面図においてダイヤルを示す部分断面図である。
【図５】図１におけるＣ−Ｃ線に沿う断面図である。
【図６】（ａ）、（ｂ）スライダーとダイヤルを模式的に示した図である。
【発明を実施するための形態】
【００１２】
以下、図面を用いて、本実施形態に係る施錠装置について詳細に説明する。
【００１３】
＜全体構成＞
まず、図１〜図３を用いて、本実施形態に係る施錠装置１０の全体構成について説明する。なお、図１は、本実施形態に係る施錠装置１０の正面図であり、図２は、同施錠装置１０の平面図である。また、図３は、図１におけるＡ−Ａ線に沿う断面図である。
【００１４】
この施錠装置１０は、箱状のケーシング１２と、このケーシング１２の前面開口部を覆う前面カバー１４と、この前面カバー１４から一部が外部に突出するように配設された複数（この例では４個）のプッシュボタン１６Ａ〜１６Ｄと、各々のプッシュボタン１６Ａ〜１６Ｄに対応して設けられた複数（この例では４個）のダイヤル１８Ａ〜１８Ｄと、これらのダイヤル１８Ａ〜１８Ｄによって施開錠状態の切り替えが行なわれるスライダー２０と、このスライダー２０に連動して施開錠状態が切り替えられ、錠前（図示省略）の施開錠を行なうロッキングバー２２と、を有して構成されている。
【００１５】
＜前面カバー＞
前面カバー１４には、各々のプッシュボタン１６Ａ〜１６Ｄに対応して複数（この例では４個）の窓部１４Ａ〜１４Ｄが形成されている。図４（ａ）は、図１におけるＢ−Ｂ線に沿う断面図であり、同図（ｂ）は、同図（ａ）の断面図においてダイヤル１８Ａを示す部分断面図である。なお、同図では、窓部１４Ａ〜１４Ｄのうち、窓部１４Ａのみを図示するとともに、ダイヤル１８Ａ〜１８Ｄのうち、ダイヤル１８Ａとの位置関係を示しているが、他の窓部１４Ｂ〜１４Ｄも窓部１４Ａと同形状であり、また、窓部１４Ｂとダイヤル１８Ｂ、窓部１４Ｃとダイヤル１８Ｃ、窓部１４Ｄとダイヤル１８Ｄの位置関係も、窓部１４Ａとダイヤル１８Ａの位置関係と同じである。
【００１６】
同図に示すように、窓部１４Ａは、前面カバー１４の前面側から背面側に向かって、長手方向（前面カバー１４の上下方向）の長さが徐々に短くなるように形成されており、上記図１に示すように、窓部１４Ａの矩形状の背面側開口部１４Ａ２の開口面積を、矩形状の前面側開口部１４Ａ１の開口面積よりも小さくしている。また、窓部１４Ａの背面側開口部１４Ａ２の近傍には、ダイヤル１８Ａを配設しており、施錠装置１０を正面側（操作者側）から見た場合に、ダイヤル１８Ａの外周面に施された０〜９の数字のいずれか１つの数字が、窓部１４Ａの背面側開口部１４Ａ２を通して視認可能な構造となっている。
【００１７】
＜ブッシュボタン、ダイヤル＞
図５は、図１におけるＣ−Ｃ線に沿う断面図である。なお、同図では、プッシュボタン１６Ａ〜１６Ｄのうち、プッシュボタン１６Ｃのみを図示するとともに、ダイヤル１８Ａ〜１８Ｄのうち、ダイヤル１８Ｃとの位置関係を示しているが、他のプッシュボタン１６Ａ、１６Ｂ、１６Ｄもプッシュボタン１６Ｃと同形状であり、また、プッシュボタン１６Ａとダイヤル１８Ａ、プッシュボタン１６Ｂとダイヤル１８Ｂ、プッシュボタン１６Ｄとダイヤル１８Ｄの位置関係も、プッシュボタン１６Ｃとダイヤル１８Ｃの位置関係と同じである。
【００１８】
プッシュボタン１６Ｃは、図示しない支持部材によって長手方向（図５の左右方向）に進退可能に支持されているとともに、ダイヤル１８Ｃの外周面に複数個、形成された係合片に係合可能に構成されている。また、プッシュボタン１６Ｃは、図示しない弾性部材（この例では、板バネ）によって前面カバー１４の前面側に常時付勢されており、プッシュボタン１６Ｃの一部が前面カバー１４に形成された開口部から外部に突出するように構成されている。これらの構成により、プッシュボタン１６Ｃが弾性部材の付勢力に逆らって押下操作されると、ダイヤル１８Ｃが、自身の外周面に施された数字の１つ分だけ間欠回転され（所定角度だけ回転され）、窓部１４Ａの背面側開口部１４Ａ２を通して０〜９の数字のいずれか１つの数字が視認される。
【００１９】
＜スライダー、ロッキングバー＞
図６（ａ）、（ｂ）はスライダー２０とダイヤル１８Ａ〜１８Ｄを模式的に示した図である。同図（ａ）に示すように、ダイヤル１８Ａ〜１８Ｄの各々に形成された三角形状の凹部のいずれかが、スライダー２０に形成された三角形状の凸部に係合していない状態では、スライダー２０の右方向への移動が規制されるため、駆動機構（図示省略）を介してロッキングバー２２（図１参照）を施錠状態から開錠状態にすることができない。一方、同図（ｂ）に示すように、ダイヤル１８Ａ〜１８Ｄの各々に形成された凹部の全てが、スライダー２０に形成された凸部に係合した状態では、スライダー２０の右方向への移動規制が解除されるため、駆動機構を介してロッキングバー２２を施錠状態から開錠状態にすることができる。
【００２０】
すなわち、施錠装置１０が同図（ａ）に示す施錠状態になっている場合には、プッシュボタン１６Ａ〜１６Ｄの押下操作によりダイヤル１８Ａ〜１８Ｄを間欠回転させながら、窓部１４Ａ〜１４Ｄの背面側開口部を通して視認される４つの数字が、予め定められた数字の組合せ（暗証番号）になるようにプッシュボタン１６Ａ〜１６Ｄの押下操作を行なう。施錠装置１０は、予め定められた数字の組合せを揃えることにより、ダイヤル１８Ａ〜１８Ｄを同図（ａ）に示す状態から同図（ｂ）に示すような状態にすることができるように構成されているため、スライダー２０の移動規制が解除され、施錠装置１０（のロッキングバー２２）が施錠状態から開錠状態になる。
【００２１】
以上説明したように、本実施形態に係る施錠装置１０は、表示窓（例えば、窓部１４Ａ〜１４Ｄ）を有するカバー（例えば、前面カバー１４）と、少なくとも一部が前記カバーの第１の面（例えば、前面）よりも手前側（例えば、操作者から見て手前側）に突出して配置された操作手段（例えば、プッシュボタン１６Ａ〜１６Ｄ）と、前記操作手段を介して回転駆動されるとともに、視覚によって識別可能な情報（例えば、０から９の数字）が施された表示部を有する回転体（例えば、ダイヤル１８Ａ〜１８Ｄ）と、を備え、前記回転体の表示部は、前記カバーの第１の面よりも少なくとも前記表示窓開口部の幅寸法以上に奥側（例えば、操作者から見て奥側）であって前記カバーの表示窓を通して視認可能な位置に配設されていることを特徴とする、施錠装置である。
【００２２】
本実施形態に係る施錠装置１０によれば、操作手段の位置よりも奥まった位置に表示部があるため、開錠操作の際に暗証番号などの入力情報が盗み見されることを確実に防止して防犯性を高めることができる一方で、施錠装置の操作者は表示部によって入力情報を確認しながら操作を行なうことができるため、操作性が低下することがない。
【００２３】
また、前記カバーの表示窓は、前記第１の面の手前側（例えば、前面側開口部１４Ａ１）から奥側（例えば、背面側開口部１４Ａ２）にかけて開口面積が徐々に小さくなるような形状を有していてもよい。
【００２４】
このような構成とすれば、（表示部を正面から見る）施錠装置の操作者には表示部を見易くして操作性の低下を防止することができる上に、（表示部を脇から覗く）施錠装置の操作者以外の者に対して表示部を見難くすることができ、より一層、防犯性を高めることができる。例えば、施錠装置が操作者の目線よりも高い位置に配置されている場合や、操作者の目線よりも低い位置に配置されている場合においても、表示窓開口部の傾斜部によって表示部の視認性を確保することが出来、見易くすることが出来る。また、天井等の照明を表示部内に取り込みやすくなるため、表示部の視認性を向上させることが出来る。
【００２５】
また、前記プッシュボタンを複数備え、前記表示窓は、隣接する２つの前記プッシュボタンの間に配設されていてもよい。
【００２６】
このような構成とすれば、カバーの前面よりも手前に突出する２つのプッシュボタンによって、カバーの前面よりも奥まった位置にある表示部の両側を隠すことが可能となる。そのため、（表示部を正面から見る）施錠装置の操作者には表示部を見易くして操作性の低下を防止することができる上に、（表示部を脇から覗く）施錠装置の操作者以外の者に対して表示部を見難くすることができ、より一層、防犯性を高めることができる。
【００２７】
また、前記カバーの表示窓の短手方向の幅は、前記第１の面の手前側（例えば、前面側開口部１４Ａ１）から奥側（例えば、背面側開口部１４Ａ２）にかけて同じ幅であってもよい。
【００２８】
このような構成とすれば、（表示部を正面から見る）施錠装置の操作者には表示部を見易くして操作性の低下を防止することができる上に、（表示部を脇から覗く）施錠装置の操作者以外の者に対して表示部を見難くすることができ、より一層、防犯性を高めることができる。
【００２９】
なお、本発明の実施例に記載された作用および効果は、本発明から生じる最も好適な作用および効果を列挙したに過ぎず、本発明による作用および効果は、本発明の実施例に記載されたものに限定されるものではない。
【００３０】
したがって、例えば、本発明に係る「視覚によって識別可能な情報」は、０から９の数字に限定されず、例えば、英字、記号、図形などでもよい。また、窓部１４Ａ〜１４Ｄの形状は図面に示した形状に限定されるものではない。また、プッシュボタンの数（入力する番号の数）も４個に限定されるものではない。
【産業上の利用可能性】
【００３１】
本発明に係る施錠装置は、机の引き出しなどに適用することができる。
【符号の説明】
【００３２】
１０  施錠装置
１２  ケーシング
１４  前面カバー
１４Ａ〜１４Ｄ  窓部
１６Ａ〜１６Ｄ  プッシュボタン
１８Ａ〜１８Ｄ  ダイヤル
２０  スライダー
２２  ロッキングバー
【図１】
2011144549.tif 000003
【図２】
2011144549.tif 000004
【図３】
2011144549.tif 000005
【図４】
2011144549.tif 000006
【図５】
2011144549.tif 000007
【図６】
2011144549.tif 000008